(57)【特許請求の範囲】
【請求項１】
回転自在に軸支されている可動レバーの支点の位置から長片側の先端を、鋼球が通過する通路孔内に臨ませるとともに、可動レバーの支点の位置から短片側の先端を、常閉接点を構成する可動バネに当接させ、可動レバーの長片において可動レバーの回転軸方向の一端側に矩形状の切欠を設け、可動バネが前記切欠を通って可動レバーの長片を横切るようにして、可動レバーの長片と可動バネとを立体交差させて構成することを特徴とする鋼球検出用スイッチ。
【請求項２】
回転自在に軸支されている可動レバーの支点の位置から長片側の先端を、鋼球が通過する通路孔内に臨ませるとともに、可動レバーの支点の位置から短片側の先端を、常閉接点を構成する可動バネに当接させ、可動レバーの長片において可動レバーの回転軸方向の一端側に矩形状の切欠を設け、可動バネが前記切欠を通って可動レバーの長片を横切るようにして、可動レバーの長片と可動バネとを立体交差させて、鋼球が通路孔内を通過する際に、可動バネにより構成されている常閉接点を開路させることを特徴とする鋼球検出用スイッチの接点開閉装置。
【発明の詳細な説明】
【０００１】
【産業上の利用分野】
本発明は、例えばパチンコ遊戯機において、パチンコ玉などの鋼球が通過したとき、その通過数を計測するための鋼球検出用スイッチに関する。
【０００２】
【従来の技術】
例えばパチンコ遊戯機において、機械式鋼球検出用スイッチにより鋼球の通過を検知することによりその数を計測するための手段の例として、図４，図５に示すように鋼球ｆがピンｋを介して接点イを開閉する機構のものでは、鋼球ｆがピンｋを往復運動させ、その押圧力とストロークを可動バネｂに直接伝える機構であるため、接点イの接触信頼性とかバウンシング発生の問題が起こる。この問題を解決するためには接点間の接触力を大きくする必要がある。
【０００３】
そこで接点間の接触力を大きくするために、鋼球ｆの通路孔ｇの内壁からのピンｋの出しろを大きくすることによりストロークを大きく取ることが考えられている。またピンｋを介して接点イを開閉する押圧力に加えて、図６に示すように回転アームｘを設け、鋼球ｆの落下に伴う力は、ピンｋ，回転アームｘ，可動バネｊの順に伝わるようにしたものが知られている。
【０００４】
なお、図５は従来の機械式鋼球検出用スイッチにおける鋼球の通路孔とレバーとの関係を示し、図４のＸ−Ｘ線における断面図である。また図７は従来の機械式鋼球検出用スイッチの他の例における鋼球の通路孔とレバーとの関係を示し、図６のＸ−Ｘ線における断面図である。そして図４，図５，図６及び図７において、ｂ′は可動バネｂ，ｊ′は可動バネｊ，ｋ′はピンｋ，ｆ′は鋼球ｆ，ｘ′は回転アームｘの、それぞれの移動位置を表している。
【０００５】
【発明が解決しようとする課題】
薄いピンを使用した場合は、ピンｋの先端に傾斜を設けても、ピンｋの水平部に鋼球ｆが当たってそのピンｋが撓むことになり、これが抵抗となってパチンコ遊戯機が円滑に動作しないことがある。ときによっては、鋼球ｆが通路孔ｇ内に引っ掛かって詰まったり、またピンｋが曲がったりするおそれもあった。また、鋼球ｆの力がピンｋの運動方向と垂直に加わらないようにするためにストロークを大きく取ろうとすると、ピンｋの先端に設けられた傾斜を鉛直方向に長く取る必要があり、そのためスイッチ機構全体の厚みを大きくして大型化しなければならないという問題がある。
【０００６】
本発明は、上記した問題点を解決するためのもので、機械式鋼球検出用スイッチの接点開閉機構において、一定以上の接点圧を有する常閉接点を開放するために、回転可能な可動レバーの腕の比を利用することにより、鋼球による可動レバーの押圧力を小さくするとともに、鋼球による可動レバーの押圧力を伝えるピンと可動レバーとを一体化することにより、簡易な接点開閉機構にもかかわらず確実に回路開閉動作を行うことを目的としている。
【０００７】
【課題を解決するための手段】
上記目的を達成するために本発明に係る鋼球検出用スイッチは、回転軸により回転自在に軸支されている可動レバーの支点の位置から長片側の先端を、鋼球が通過する通路孔内に臨ませるとともに、可動レバーの支点の位置から短片側の先端を、常閉接点を構成する可動バネに当接させ、可動レバーの長片において可動レバーの回転軸方向の一端側に矩形状の切欠を設け、可動バネが前記切欠を通って可動レバーの長片を横切るようにして、可動レバーの長片と可動バネとを立体交差させて構成することを特徴とするものであり、また、その鋼球検出用スイッチの接点開閉装置は、鋼球が通路孔内を通過する際に可動バネにより構成されている常閉接点を開路させることを特徴とするものである。
【０００８】
【作用】
本発明に係る鋼球検出用スイッチ及びその接点開閉機構の作用について説明する。
通常状態では、可動バネは固定端子の先端に押圧されていて両者は接触状態にある。従って出力端子間は電気回路的に閉路状態にある。このとき可動レバーの先端は、通路孔内に位置した状態にある。
【０００９】
次に、鋼球が通路孔内に落下し進入してくると、可動レバーは鋼球により押圧されるから、その可動レバーは可動支点を中心として時計方向に回転し、可動バネは、可動レバーに押圧されて撓んだ状態となる。そのために可動バネは固定端子の先端と離間した状態となり、出力端子間、すなわち接点開閉機構は電気回路的に開路状態となる。
【００１０】
【実施例】
以下、図面を参照しながら本発明の実施例を具体的に説明する。図１は本発明に係る鋼球検出用スイッチＳ及びその接点開閉機構Ａの一実施例を示す正面図、図２は鋼球の通路孔とレバーとの関係を示すもので、同上のＸ−Ｘ線における断面図、図３は可動レバーと可動バネの外観斜視図であるが、図において、ａは可動レバー、ｂは可動バネ、ｃ，ｃ′は固定端子、ｄ，ｅは固定端子ｃ，ｃ′に接続された出力端子、ｇは鋼球の通路孔である。
【００１１】
そして本発明に係る鋼球検出用スイッチＳは、回転軸（可動支点）ａ２  により回転自在に軸支されている可動レバーａの可動支点ａ２  の位置から長片Ｌ１  側の先端ａ１  を、鋼球ｆが通過する通路孔ｇ内に臨ませるとともに、可動レバーａの可動支点ａ２  の位置から短片Ｌ２  側の先端を、常閉接点イを構成している可動バネｂのｂ２  の位置に当接させている。
【００１２】
次に、図１，図２及び図３を参照しながら動作状態を説明する。
通常状態では、可動バネｂは固定端子ｃの先端に押圧されていて両者は接触状態（図１の実線状態）にあり、従って出力端子ｄ，ｅ間、すなわち接点開閉機構Ａは電気回路的に閉路状態にある。このとき可動レバーａの先端ａ１  は、通路孔ｇ内に位置した状態にある（図１の実線状態）。
【００１３】
次に、鋼球ｆが通路孔ｇ内に落下してきて鋼球ｆ′の位置（図２の点線位置）まで進入してくると、その鋼球ｆ′により可動レバーａは時計方向（図１，図２の矢印方向参照）に押圧されるから、可動レバーａは、可動レバーａ′（図１の点線位置）の状態となる。すなわち、可動レバーａは可動支点ａ２  を中心として可動レバーａ′の位置まで回転し、可動バネｂは、可動レバーａ′に押圧されて可動バネｂ′の位置となる（図１の点線位置）。そのために、可動バネｂは固定端子ｃの先端と離間した状態となり、出力端子ｄ，ｅ間、すなわち接点開閉機構Ａは電気回路的に開路状態となる。
【００１４】
このとき可動レバーａは、鋼球ｆによって押圧力Ｐ１  の力を受けるが、可動レバーａの可動支点ａ２  から、鋼球衝突面となる可動レバーａの先端ａ１  までの腕の長さ（長片）Ｌ１  と、可動バネｂに対する可動レバーａの押圧面ａ３  までの腕の長さ（短片）Ｌ２  との比によって増幅されることになり、可動バネｂを押し上げる力Ｐ２  は、
Ｐ２  ＝（Ｌ１  ／Ｌ２  ）×Ｐ１    によって表わされる。
【００１５】
ここで鋼球の自重は５ｇｆ程度であり、可動レバーａを水平に動かせる力は、角度４５°の傾斜方向の分力として、
３．５〔ｇｆ〕（＝５Ｓｉｎ４５°）となり、Ｌ１  ：Ｌ２  ＝４：１  にすると、可動バネｂを押し上げる力Ｐ２  は、
Ｐ２  ＝４／１×３．５＝１４〔ｇｆ〕である。
【００１６】
通常時には、接点の接触信頼性から可動バネｂが固定端子ｃに対して、約１０〔ｇｆ〕で押圧しているからそれ以上の力を確保することができ、可動バネｂの接点は固定端子ｃから離間することになり、出力端子ｄ，ｅ間、すなわち接点開閉機構Ａは電気回路的に開路状態となる。
図８は本発明に係る鋼球検出用スイッチＳにおいて、鋼球ｆが通路孔ｇ内を通過するとき、接点開閉機構Ａの時間に対する回路開閉動作状態を示すグラフである。
【００１７】
図９は本発明に係る鋼球検出用スイッチＳを従来のコネクタＣに接続する状態を示す斜視図である。すなわち接点開閉機構Ａの出力端子ｄ，ｅをコネクタＣに挿入するだけで、鋼球検出用スイッチＳと従来のコネクタＣとを電気的に接続できることを示している。図１０は鋼球検出用スイッチＳと従来のコネクタＣとの電気接続状態を示す断面図であるが、図９，図１０において、ｈはコネクタＣのリード線である。
【００１８】
本発明に係る鋼球検出用スイッチＳ及びその接点開閉機構Ａの一実施例を示した図１の正面図において、出力端子ｄ，ｅは直線的な杆体を表しているが、図１１は直線的な杆体ｄ′，ｅ′の先端に、リード線挿入用丸孔ｍ，ｍを有する巾広の端子板ｄ″，ｅ″を設け、杆体ｄ′，ｅ′と端子板ｄ″，ｅ″との境界部ｙ，ｙを切断できるようにした出力端子の正面図であり、図１２は同上の外観斜視図である。このような構成により図１０の断面図に示すように、巾広の端子板ｄ″，ｅ″に直接外部出力のリード線ｈの芯線ｈ′を半田付けして接続したり、また、図１３の正面図に示すように、境界部ｙ，ｙを切断することにより、直線的な杆体ｄ′，ｅ′だけとし、その杆体ｄ′，ｅ′に従来から市販されているコネクタ（図示せず）に挿入したりできるのである。
【００１９】
【発明の効果】
本発明に係る鋼球検出用スイッチ及びその接点開閉機構は前記のように構成して成るもので以下のような効果がある。
スイッチ機構全体を小型化できるにもかかわらず、鋼球が通路孔内を通過する際における可動レバーを押圧する微小な力を増幅し、接点押圧力を増大できて接点の電気的接触の信頼性を向上できる利点がある。
【００２０】
また、回転軸により軸支されている可動レバーだけの回転動作によりスイッチ機構が動作することは、スイッチ機構全体の構成の部品点数及び製作工数の削減に寄与してコスト的にも経済的であるなどの利点がある。
【図面の簡単な説明】
【図１】本発明に係る鋼球検出用スイッチ及びその接点開閉機構の一実施例を示す正面図。
【図２】同上の鋼球の通路孔とレバーとの関係を示すもので、図１のＸ−Ｘ線における断面図。
【図３】同上の可動レバーと可動バネの外観斜視図。
【図４】従来の機械式鋼球検出用スイッチ及びその接点開閉機構の一例を示す正面図。
【図５】同上の鋼球の通路孔とレバーとの関係を示すもので、図４のＸ−Ｘ線における断面図。
【図６】従来の機械式鋼球検出用スイッチ及びその接点開閉機構の他の一例を示す正面図。
【図７】同上の鋼球の通路孔とレバーとの関係を示すもので、図６のＸ−Ｘ線における断面図。
【図８】本発明に係る鋼球検出用スイッチにおいて、鋼球が通路孔内を通過するとき接点開閉機構の時間に対する回路開閉動作状態を示すグラフ。
【図９】本発明に係る鋼球検出用スイッチを従来のコネクタに接続する状態を示す斜視図。
【図１０】本発明に係る鋼球検出用スイッチと従来のコネクタとの電気接続状態を示す断面図。
【図１１】直線的な杆体の先端に、リード線挿入用丸孔を有する巾広の端子板を設け、杆体と端子板との境界部を切断できるようにした出力端子の正面図。
【図１２】同上の外観斜視図。
【図１３】直線的な杆体と端子板との境界部を切断した状態を示す出力端子の正面図。
【符号の説明】
ａ      可動レバー
ａ１      可動レバーの先端
ａ２      可動レバーの可動支点
ａ３      可動レバーの押圧面
ｂ      可動バネ
ｃ，ｃ′固定端子
ｄ，ｅ  固定端子に接続された出力端子
ｇ      鋼球の通路孔
Ｌ１      可動レバーの可動支点から鋼球衝突面となる可動レバーの先端まで
の腕の長さ
Ｌ２      可動レバーの可動支点から可動バネに対する可動レバーの押圧面ま
での腕の長さ
イ      常閉接点
Ｓ      鋼球検出用スイッチ
Ａ      接点開閉機構
【図１】
0003598533.tif 000002
【図２】
0003598533.tif 000003
【図３】
0003598533.tif 000004
【図４】
0003598533.tif 000005
【図５】
0003598533.tif 000006
【図６】
0003598533.tif 000007
【図７】
0003598533.tif 000008
【図８】
0003598533.tif 000009
【図９】
0003598533.tif 000010
【図１０】
0003598533.tif 000011
【図１１】
0003598533.tif 000012
【図１２】
0003598533.tif 000013
【図１３】
0003598533.tif 000014